(57)【要約】【課題】本発明は、デジタルサイネージ装置に広告を表示するための方法およびシステムに関する。【解決手段】一実施形態に係るコンピュータによって実現される広告表示を決める方法は、デジタルサイネージ装置の少なくとも１つのセンサから状況情報を収集する段階、広告主から入力された設定情報または前記広告主から選択されたキャンペーンテンプレートに入力されたキャンペーン設定情報に基づいて広告コンテンツを登録する段階、前記広告主から入力された設定情報または前記広告主から入力されたキャンペーン設定情報が前_記状況情報に符合することに伴い、前記状況情報に対応する前記広告コンテンツを抽出する段階、および前記抽出された広告コンテンツを前記デジタルサイネージ装置に提供し、前記広告コンテンツを前記状況情報によって差をつけて課金するためにロギングする段階を含んでもよい。【選択図】図１
2016134164.tif 000002
【特許請求の範囲】
【請求項１】
コンピュータによって実現される広告表示を決める方法であって、
デジタルサイネージ装置の少なくとも１つのセンサから状況情報を収集する段階、
広告主から入力された設定情報または前記広告主から選択されたキャンペーンテンプレートに入力されたキャンペーン設定情報に基づいて広告コンテンツを登録する段階、
前記広告主から入力された設定情報または前記広告主から入力されたキャンペーン設定情報が前記状況情報に符合することに伴い、前記状況情報に対応する前記広告コンテンツを抽出する段階、および
前記抽出された広告コンテンツを前記デジタルサイネージ装置に提供し、前記広告コンテンツを前記状況情報によって差をつけて課金するためにロギングする段階
を含む、広告表示決定方法。
【請求項２】
前記広告コンテンツを登録する段階は、
前記広告主から設定情報が入力されるための設定情報インタフェースおよび前記キャンペーン設定情報が入力されるためのキャンペーンテンプレートインタフェースを提供する段階、および
前記設定情報インタフェースまたは前記キャンペーンテンプレートインタフェースに入力された設定情報に応答して前記広告コンテンツを表示させるための設定結果を出力する段階
を含む、請求項１に記載の広告表示決定方法。
【請求項３】
前記広告コンテンツを登録する段階は、
ユーザから前記キャンペーンテンプレートを利用して前記広告コンテンツを表示させる広告類型または前記キャンペーン設定情報を設定する段階
を含む、請求項２に記載の広告表示決定方法。
【請求項４】
前記抽出された広告コンテンツを前記デジタルサイネージ装置に提供し、前記広告コンテンツを前記状況情報によって差をつけて課金するためにロギングする段階は、
前記広告コンテンツが前記デジタルサイネージ装置に表示される時点の状況情報をロギングする段階
を含む、請求項１に記載の広告表示決定方法。
【請求項５】
前記抽出された広告コンテンツを前記デジタルサイネージ装置に提供し、前記広告コンテンツを前記状況情報によって差をつけて課金するためにロギングする段階は、
前記表示された広告コンテンツが外部とのインタラクションが発生することによって生成された情報をロギングし、前記生成された情報に加重値を付与して差をつけて課金する段階
を含む、請求項４に記載の広告表示決定方法。
【請求項６】
前記符号した状況情報に対応する前記広告コンテンツを抽出する段階は、
リアルタイムで前記表示された広告コンテンツに対する応答結果を受信し、前記受信した応答結果および前記状況情報に対応する前記広告コンテンツを推薦する段階
を含む、請求項１に記載の広告表示決定方法。
【請求項７】
前記デジタルサイネージ装置の少なくとも１つのセンサから状況情報を収集する段階は、
前記デジタルサイネージ装置から認識可能なユーザの数、前記認識可能なユーザの動き、前記認識可能なユーザの移動速度、前記認識可能なユーザ情報、前記デジタルサイネージ装置から認識される温度情報、前記認識される湿度情報、前記認識される照度情報、前記認識される音情報、前記認識されるＣＯ２情報、および前記デジタルサイネージ装置の情報のうち少なくとも１つの状況情報を収集し、前記収集した状況情報を補正する段階
を含む、請求項１に記載の広告表示決定方法。
【請求項８】
コンピュータによって実現される広告表示を決めるシステムであって、
デジタルサイネージ装置の少なくとも１つのセンサから状況情報を収集する状情報収集部、
広告主から入力された設定情報または前記広告主から選択されたキャンペーンテンプレートに入力されたキャンペーン設定情報に基づいて広告コンテンツを登録する登録部、
前記広告主から入力された設定情報または前記広告主から入力されたキャンペーン設定情報が前記状況情報に符合することに伴い、前記符号した状況情報に対応する前記広告コンテンツを抽出する抽出部、および
前記抽出された広告コンテンツを前記デジタルサイネージ装置に提供し、前記広告コンテンツを前記状況情報によって差をつけて課金するためにロギングするロギング部
を備える、広告表示決定システム。
【請求項９】
前記登録部は、
前記広告主から設定情報が入力されるための設定情報インタフェースおよび前記キャンペーン設定情報が入力されるためのキャンペーンテンプレートインタフェースを提供し、前記設定情報インタフェースまたは前記キャンペーンテンプレートインタフェースに入力された設定情報に応答して前記広告コンテンツを表示させるための設定結果を出力する、
請求項８に記載の広告表示決定システム。
【請求項１０】
前記登録部は、
ユーザから前記キャンペーンテンプレートを利用して前記広告コンテンツを表示させる広告類型または前記キャンペーン設定情報を設定する、
請求項９に記載の広告表示決定システム。
【請求項１１】
前記ロギング部は、
前記広告コンテンツが前記デジタルサイネージ装置に表示される時点の状況情報をロギングする、
請求項８に記載の広告表示決定システム。
【請求項１２】
前記ロギング部は、
前記表示された広告コンテンツが外部とのインタラクションが発生することによって生成された情報をロギングし、前記生成された情報に加重値を付与して差をつけて課金する、
請求項１１に記載の広告表示決定システム。
【請求項１３】
前記抽出部は、
リアルタイムで前記表示された広告コンテンツに対する応答結果を受信し、前記受信した応答結果および前記状況情報に対応する前記広告コンテンツを推薦する、
請求項８に記載の広告表示決定システム。
【請求項１４】
前記状況情報収集部は、
前記デジタルサイネージ装置から認識可能なユーザの数、前記認識可能なユーザの動き、前記認識可能なユーザの移動速度、前記認識可能なユーザ情報、前記デジタルサイネージ装置から認識される温度情報、前記認識される湿度情報、前記認識される照度情報、前記認識される音情報、前記認識されるＣＯ２情報、および前記デジタルサイネージ装置の情報のうち少なくとも１つの状況情報を収集し、前記収集した状況情報を補正する、
請求項８に記載の広告表示決定システム。
【請求項１５】
コンピュータシステムが広告表示を決めるように制御する命令（ｉｎｓｔｒｕｃｔｉｏｎ）を含むコンピュータで読み取り可能な媒体であって、
前記命令は、
デジタルサイネージ装置の少なくとも１つのセンサから状況情報を収集する段階、
広告主から入力された設定情報または前記広告主から選択されたキャンペーンテンプレートに入力されたキャンペーン設定情報に基づいて広告コンテンツを登録する段階、
前記広告主から入力された設定情報または前記広告主から入力されたキャンペーン設定情報が前記状況情報に符合することに伴い、前記状況情報に対応する前記広告コンテンツを抽出する段階、および
前記抽出された広告コンテンツを前記デジタルサイネージ装置に提供し、前記広告コンテンツを前記状況情報によって差をつけて課金するためにロギングする段階
を含む方法によって前記コンピュータシステムを制御する、コンピュータで読み取り可能な格納媒体。
【発明の詳細な説明】
【技術分野】
【０００１】
後述する説明は広告サービス技術に関し、デジタルサイネージ装置に広告を表示するための方法およびシステムに関する。
【背景技術】
【０００２】
日常空間における多様なデジタルスクリーンは、デジタル情報ディスプレイ（Ｄｉｇｉｔａｌ  Ｉｎｆｏｒｍａｔｉｏｎ  Ｄｉｓｐｌａｙ：ＤＩＤ）を利用した屋外広告を意味するデジタルサイネージ（Ｄｉｇｉｔａｌ  Ｓｉｇｎａｇｅ）またはデジタルウォール（Ｗａｌｌ）の形態で普及している。ユーザは、特定の空間に存在したり移動中であるときに、デジタルスクリーン上のメディアに遭遇する。
【０００３】
しかし、デジタルサイネージまたはデジタルウォールを利用した広告表示方法は同じコンテンツを繰り返し再生するだけであって、このようなデジタルサイネージまたはデジタルウォールの周辺に位置するユーザの行動に基づいた適切なコンテンツは提供することができないでいる。さらに、従来の広告表示方法は、広告主の執行効果に対する不満と、全体的な広告表示に対する応答率の低さが問題視されている。
【０００４】
これにより、デジタルサイネージ装置の周辺状況に連携した効果的な広告コンテンツを表示する技術が提案される必要性がある。
【０００５】
韓国公開特許第１０−２０１１−００８３３９３号には、ユーザがコンテンツ情報を直観的かつ容易に確認および編集することができるデジタルサイネージ装置および制御方法について開示されている。
【発明の概要】
【発明が解決しようとする課題】
【０００６】
本発明の一実施形態に係る広告表示決定システムは、デジタルサイネージ装置のセンサから状況情報を収集して周辺状況を認知して判断することにより、状況に適合した広告コンテンツを表示させる方法を提供する。
【０００７】
本発明の一実施形態に係る広告表示決定システムは、デジタルサイネージ装置の状況情報に対する価格を入札し、状況情報にしたがって広告コンテンツを表示させ、状況情報によって差をつけて費用を課金するための方法を提供する。
【課題の解決手段】
【０００８】
本発明の一実施形態に係るコンピュータによって実現される広告表示を決める方法は、デジタルサイネージ装置の少なくとも１つのセンサから状況情報を収集する段階、広告主から入力された設定情報または前記広告主から選択されたキャンペーンテンプレートに入力されたキャンペーン設定情報に基づいて広告コンテンツを登録する段階、前記広告主から入力された設定情報または前記広告主から入力されたキャンペーン設定情報が前記状況情報に符合することに伴い、前記状況情報に対応する前記広告コンテンツを抽出する段階、および前記抽出された広告コンテンツを前記デジタルサイネージ装置に提供し、前記広告コンテンツを前記状況情報によって差を付けて課金するためにロギングする段階を含んでもよい。
【０００９】
本発明の一実施形態によると、前記広告コンテンツを登録する段階は、前記広告主から設定情報が入力されるための設定情報インタフェースおよび前記キャンペーン設定情報が入力されるためのキャンペーンテンプレートインタフェースを提供する段階、および前記設定情報インタフェースまたは前記キャンペーンテンプレートインタフェースに入力された設定情報に応答して前記広告コンテンツを表示させるための設定結果を出力する段階を含んでもよい。
【００１０】
本発明の他の実施形態によると、前記広告コンテンツを登録する段階は、ユーザから前記キャンペーンテンプレートを利用して前記広告コンテンツを表示させる広告類型または前記キャンペーン設定情報を設定する段階を含んでもよい。
【００１１】
本発明の他の実施形態によると、前記抽出された広告コンテンツを前記デジタルサイネージ装置に提供し、前記広告コンテンツを前記状況情報によって差をつけて課金するためにロギングする段階は、前記広告コンテンツが前記デジタルサイネージ装置に表示される時点の状況情報をロギングする段階を含んでもよい。
【００１２】
本発明の他の実施形態によると、前記抽出された広告コンテンツを前記デジタルサイネージ装置に提供し、前記広告コンテンツを前記状況情報によって差をつけて課金するためにロギングする段階は、前記表示された広告コンテンツが外部とのインタラクションが発生することによって生成された情報をロギングし、前記生成された情報に加重値を付与して差をつけて課金する段階を含んでもよい。
【００１３】
本発明の他の実施形態によると、前記符号した状況情報に対応する前記広告コンテンツを抽出する段階は、リアルタイムで前記表示された広告コンテンツに対する応答結果を受信し、前記受信した応答結果および前記状況情報に対応する前記広告コンテンツを推薦する段階を含んでもよい。
【００１４】
本発明のさらに他の実施形態によると、前記デジタルサイネージ装置の少なくとも１つのセンサから状況情報を収集する段階は、前記デジタルサイネージ装置から認識可能なユーザの数、前記認識可能なユーザの動き、前記認識可能なユーザの移動速度、前記認識可能なユーザ情報、前記デジタルサイネージ装置から認識される温度情報、前記認識される湿度情報、前記認識される照度情報、前記認識される音情報、前記認識されるＣＯ２情報、および前記デジタルサイネージ装置の情報のうち少なくとも１つの状況情報を収集し、前記収集した状況情報を補正する段階を含んでもよい。
【００１５】
本発明の一実施形態に係るコンピュータによって実現される広告表示を決めるシステムにおいて、デジタルサイネージ装置の少なくとも１つのセンサから状況情報を収集する状況情報収集部、広告主から入力された設定情報または前記広告主から選択されたキャンペーンテンプレートに入力されたキャンペーン設定情報に基づいて広告コンテンツを登録する登録部、前記広告主から入力された設定情報または前記広告主から入力されたキャンペーン設定情報が前記状況情報に符合することに伴い、前記符号した状況情報に対応する前記広告コンテンツを抽出する抽出部、および前記抽出された広告コンテンツを前記デジタルサイネージ装置に提供し、前記広告コンテンツを前記状況情報によって差をつけて課金するためにロギングするロギング部を備えてもよい。
【００１６】
本発明の一実施形態によると、前記登録部は、前記広告主から設定情報が入力されるための設定情報インタフェースおよび前記キャンペーン設定情報が入力されるためのキャンペーンテンプレートインタフェースを提供し、前記設定情報インタフェースまたは前記キャンペーンテンプレートインタフェースに入力された設定情報に応答して前記広告コンテンツを表示させるための設定結果を出力してもよい。
【００１７】
本発明の他の一実施形態によると、前記登録部は、ユーザから前記キャンペーンテンプレートを利用して前記広告コンテンツを表示させる広告類型または前記キャンペーン設定情報を設定してもよい。
【００１８】
本発明の他の一実施形態によると、前記ロギング部は、前記広告コンテンツが前記デジタルサイネージ装置に表示される時点の状況情報をロギングしてもよい。
【００１９】
本発明の他の一実施形態によると、前記ロギング部は、前記表示された広告コンテンツが外部とのインタラクションが発生することによって生成された情報をロギングし、前記生成された情報に加重値を付与して差をつけて課金してもよい。
【００２０】
本発明の他の一実施形態によると、前記抽出部は、リアルタイムで前記表示された広告コンテンツに対する応答結果を受信し、前記受信した応答結果および前記状況情報に対応する前記広告コンテンツを推薦してもよい。
【００２１】
本発明のさらに他の一実施形態によると、前記状況情報収集部は、前記デジタルサイネージ装置から認識可能なユーザの数、前記認識可能なユーザの動き、前記認識可能なユーザの移動速度、前記認識可能なユーザ情報、前記デジタルサイネージ装置から認識される温度情報、前記認識される湿度情報、前記認識される照度情報、前記認識される音情報、前記認識されるＣＯ２情報、および前記デジタルサイネージ装置の情報のうち少なくとも１つの状況情報を収集し、前記収集した状況情報を補正してもよい。
【００２２】
本発明の一実施形態に係るコンピュータシステムが広告表示を決めるように制御する命令（ｉｎｓｔｒｕｃｔｉｏｎ）を含むコンピュータで読み取り可能な媒体であって、前記命令は、デジタルサイネージ装置の少なくとも１つのセンサから状況情報を収集する段階、広告主から入力された設定情報または前記広告主から選択されたキャンペーンテンプレートに入力されたキャンペーン設定情報に基づいて広告コンテンツを登録する段階、前記広告主から入力された設定情報または前記広告主から入力されたキャンペーン設定情報が前記状況情報に符合することに伴い、前記状況情報に対応する前記広告コンテンツを抽出する段階、および前記抽出された広告コンテンツを前記デジタルサイネージ装置に提供し、前記広告コンテンツを前記状況情報によって差をつけて課金するためにロギングする段階を含んでもよい。
【発明の効果】
【００２３】
本発明の一実施形態に係る広告表示決定システムは、広告主から入力された設定情報が状況情報と符合することに伴い、状況情報に対する最適な広告コンテンツを推薦することができる。
【００２４】
本発明の一実施形態に係る広告表示決定システムは、状況別の表示特性に応じて広告コンテンツを表示させることができ、広告コンテンツに関する情報をロギングすることにより、表示された広告コンテンツが外部とインタラクションを発生させた場合に加重値を付与し、差をつけて費用を課金することができる。
【図面の簡単な説明】
【００２５】
【図１】一実施形態に係る広告表示決定システムとデジタルサイネージ装置の関係を概括的に示した図である。
【図２】一実施形態に係る広告表示決定システムとデジタルサイネージ装置の動作を説明するための図である。
【図３】一実施形態に係る広告表示決定システムの内部構成を示したブロック図である。
【図４】一実施形態に係る広告表示決定システムの設定情報を入力して広告コンテンツを登録する過程を説明するための図である。
【図５】一実施形態に係るデジタルサイネージ装置に広告コンテンツが表示される例を示した図である。
【図６】一実施形態に係る広告表示決定システムにおいて、広告主から広告コンテンツを登録する方法を示したフローチャートである。
【図７】一実施形態に係る広告表示決定システムの広告表示決定方法を示したフローチャートである。
【図８】一実施形態に係るコンピュータシステムの内部構成の一例を説明するためのブロック図である。
【発明の実施のための形態】
【００２６】
以下、実施形態について、添付の図面を参照しながら詳しく説明する。
【００２７】
図１は、一実施形態に係る広告表示決定システムとデジタルサイネージ装置の関係を概括的に示した図である。図１では、広告表示決定システム１００およびデジタルサイネージ装置１０１を示している。図１に示した矢印は、広告表示決定システム１００とデジタルサイネージ装置１０１の間で、有／無線ネットワークを介してデータが送受信されることを意味してもよい。
【００２８】
デジタルサイネージ装置１０１は、例えば、スマートフォンやデジタルスクリーンなどであって、ユーザが特定の空間に存在したり移動中であるときのデジタルスクリーン上のメディアを含んでもよい。デジタルサイネージ装置１０１とは、広告表示決定システム１００に関するウェブ／モバイルサイトへの接続またはサービス専用アプリケーションのインストールおよび実行が可能なすべての端末装置を意味してもよい。このとき、デジタルサイネージ装置１０１は、ウェブ／モバイルサイトまたは専用アプリケーションの制御下で、サービス画面の構成、データ入力、データ送受信、データ格納などのようなサービス全般の動作を実行してもよい。
【００２９】
広告表示決定システム１００は、クライアント（ｃｌｉｅｎｔ）であるデジタルサイネージ装置１０１を対象に広告を表示させるサービスを提供するサービスプラットフォームの役割をする。このとき、広告表示決定システム１００は、センサの状況情報を収集し、状況に応じた広告コンテンツをデジタルサイネージ装置１０１に表示させてもよい。
【００３０】
広告表示決定システム１００は、広告表示サービスを提供する広告表示決定サーバ（図示せず）のプラットフォームに含まれる形態で実現されてもよいが、これに限定されることはなく、広告表示決定サーバと個別のシステムで構築されて広告表示決定サーバと連動することによって広告表示を決める形態で実現されることも可能である。また、広告表示決定システム１００は、少なくとも一部の構成要素が、デジタルサイネージ装置１０１上にインストールされるアプリケーション形態で実現されたり、あるいはクライアント−サーバ環境でサービスを提供するプラットフォームに含まれる形態で実現されることも可能である。
【００３１】
図２は、一実施形態に係る広告表示決定システムとデジタルサイネージ装置の動作を説明するための図である。
【００３２】
デジタルサイネージ装置２１０は、状況情報に基づいた広告コンテンツを表示させるために、デジタルサイネージ装置２１０から得られた状況情報をコンテンツ供給者２２０に送信してもよい。このとき、デジタルサイネージ装置２１０からセンシングされた状況情報がウェブ基盤のＲＥＳＴ  ＡＰＩ形態に加工されて送信されるように、センサモジュール２１３とのデバイスＡＰＩ（Ｄｅｖｉｃｅ  ＡＰＩ）が必要となる。
【００３３】
デジタルサイネージ装置２１０は、広告コンテンツを再生させるための再生プレーヤ２１１、センサデータフュージョンモジュール２１２、およびデジタルサイネージ装置周辺の状況情報を収集するためのセンサモジュール２１３を備えてもよい。
【００３４】
デジタルサイネージ装置２１０の再生プレーヤ２１１は、デジタルサイネージ装置自体で駆動する再生プレーヤプログラムまたはウェブブラウザなどによって再生されてもよい。このとき、再生プレーヤ２１１は、デジタルサイネージ装置２１０とのアクセスのためにウェブブラウザなどの外部アプリケーションが利用される場合には、デバイスＡＰＩ（Ｄｅｖｉｃｅ  ＡＰＩ）を利用して連結機能が提供されてもよい。
【００３５】
センサモジュール２１３は、デジタルサイネージ装置２１０の少なくとも１つのセンサから状況情報を得るためのものであって、多様なセンサで構成されてもよい。例えば、センサモジュール２１３は、温度センサ、湿度センサ、照度センサ、マイクセンサ、接近センサ、カメラセンサ、深さセンサ、赤外線センサなどが含まれてもよい。このとき、センサモジュール２１３は、センサが追加されたり除去されてもよく、センサモジュール３１０に追加されたり除去されたセンサに基づく複数の状況情報がさらに生成されたり縮小されてもよい。
【００３６】
センサデータフュージョンモジュール２１２は、センサモジュール２１３から得られたセンサデータに対する正確度を高めるために、データフュージョン（ｄａｔａ  ｆｕｓｉｏｎ）による補正および精巧性を確保してもよい。このとき、センサデータフュージョンモジュール２１２は、選択的にデジタルサイネージ装置２１０に含まれてもよく、含まれなくてもよい。
【００３７】
デジタルサイネージアプリケーションサーバ２００は、広告表示決定システムで作動してもよく、デジタルサイネージ装置２１０から要請された広告コンテンツに応答するための広告コンテンツ管理モジュール２０１、最適な広告コンテンツを提供するためのビジネスモジュール２０２、表示された広告コンテンツに関する情報をロギングするロギングおよびレポーティングモジュール２０３を備えてもよい。
【００３８】
広告コンテンツ管理モジュール２０１は、デジタルサイネージ装置２１０から要請された広告コンテンツに対する応答を提供してもよい。広告コンテンツ管理モジュール２０１は、別途の広告コンテンツデリバリ（Ｄｅｌｉｖｅｒｙ）機能がある場合には、別途でデジタルサイネージ装置２１０と連結してもよい。
【００３９】
ビジネスモジュール２０２は、例えば、装置別、地域別、特定時間帯のように予め設定された基準にしたがってデジタルサイネージ装置２１０のスクリーンを確保した再生プレーヤを基準として各デジタルサイネージ装置２１０の特性による最適な広告コンテンツを表示させることができるように管理してもよい。
【００４０】
ビジネスモジュール２０２は、広告主から入札された広告コンテンツに対するそれぞれの加重値を計算し、広告コンテンツを表示させる時点から累積されるユーザの反応を持続的に反映することによって効果的な広告サービスを提供することができる。
【００４１】
ロギングおよびリポーティングモジュール２０３は、表示される広告コンテンツの透明性を提供するためにロギングして記録してもよい。
【００４２】
コンテンツ供給者２２０は、デジタルサイネージ装置２１０から得られた状況情報による広告コンテンツを提供し、課金するための管理部２２１を備えてもよい。このとき、管理部２２１は、広告コンテンツに関する情報をロギングする広告コンテンツデータベース２２２を備えてもよい。管理部２２１は、デジタルサイネージ装置２１０から広告コンテンツの要請を受信した場合には、デジタルサイネージ装置２１０から得られた状況情報に対応する広告コンテンツを抽出してもよい。このとき、管理部２１０は、表示された広告コンテンツに対する応答結果を受信し、受信した応答結果およびデジタルサイネージ装置２１０の状況情報に対応する広告コンテンツを推薦することによって効果的な広告コンテンツを表示させるようにする。
【００４３】
図３は、一実施形態に係る広告表示決定システムの内部構成を示したブロック図である。
【００４４】
本実施形態に係る広告表示決定システム３００は、プロセッサ３１０、バス３２０、ネットワークインタフェース３３０、メモリ３４０、およびデータベース３５０を備えてもよい。メモリ３４０は、運営体制３４１およびサービス管理ルーチン３４２を備えてもよい。プロセッサ３１０は、登録部３１１および抽出部３１２を備えてもよい。他の実施形態において、広告表示決定システム３００は、図３の構成要素よりもさらに多くの構成要素を備えてもよい。しかし、大部分の従来技術の構成要素を明確に図に示す必要はない。例えば、広告表示決定システム３００は、ディスプレイやトランシーバ（ｔｒａｎｓｃｅｉｖｅｒ）のような他の構成要素を備えてもよい。
【００４５】
メモリ３４０は、コンピュータで読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、およびディスクドライブのような非消滅性大容量記録装置（ｐｅｒｍａｎｅｎｔ  ｍａｓｓ  ｓｔｏｒａｇｅ  ｄｅｖｉｃｅ）を備えてもよい。また、メモリ３４０には、運営体制３４１とサービス管理ルーチン３４２のためのプログラムコードが格納されてもよい。このようなソフトウェア構成要素は、ドライブメカニズム（ｄｒｉｖｅ  ｍｅｃｈａｎｉｓｍ）（図示せず）を利用してメモリ３４０とは別途のコンピュータで読み取り可能な記録媒体からローディングされてもよい。このような別途のコンピュータで読み取り可能な記録媒体は、フロッピドライブ、ディスク、テープ、ＤＶＤ／ＣＤ−ＲＯＭドライブ、メモリカードなどのコンピュータで読み取り可能な記録媒体（図示せず）を含んでもよい。他の実施形態において、ソフトウェア構成要素は、コンピュータで読み取り可能な記録媒体ではない、ネットワークインタフェース３３０を利用してメモリ３４０にローディングされてもよい。
【００４６】
バス３２０は、広告表示決定システム３００の構成要素間の通信およびデータ送信を可能にしてもよい。バス３２０は、高速シリアルバス（ｈｉｇｈ−ｓｐｅｅｄ  ｓｅｒｉａｌ  ｂｕｓ）、並列バス（ｐａｒａｌｌｅｌ  ｂｕｓ）、ＳＡＮ（Ｓｔｏｒａｇｅ  Ａｒｅａ  Ｎｅｔｗｏｒｋ）、および／または他の適切な通信技術を利用して構成されてもよい。
【００４７】
ネットワークインタフェース３３０は、広告表示決定システム３００をコンピュータネットワークに連結するためのコンピュータハードウェア構成要素であってもよい。ネットワークインタフェース３３０は、広告表示決定システム３００を無線または有線コネクションを介してコンピュータネットワークに連結させてもよい。
【００４８】
データベース３５０は、広告表示を決めるために必要な情報を格納および保持する役割をしてもよい。このとき、データベース３５０は、デジタルサイネージ装置の少なくとも１つのセンサから状況情報を収集してもよい。また、データベース３５０は、抽出された広告コンテンツを状況情報によって差をつけて課金するためにロギングしてもよい。図３には、広告表示決定システム３００の内部にデータベース３５０を構築して備えるものと示されているが、これに限定されるものではなく、システム実現方式や環境などによって省略されてもよく、あるいは全体または一部のデータベースが個別の他のシステム上に構築された外部データベースとして存在することも可能である。
【００４９】
プロセッサ３１０は、基本的な算術、ロジック、および広告表示決定システム３００の入出力演算を実行することによってコンピュータプログラムの命令を処理するように構成されてもよい。命令は、メモリ３４０またはネットワークインタフェース３３０によって、そしてバス３２０を介してプロセッサ３１０に提供されてもよい。プロセッサ３１０は、登録部３１１および抽出部３１２のためのプログラムコードを実行するように構成されてもよい。このようなプログラムコードは、メモリ３４０のような記録装置に格納されてもよい。
【００５０】
登録部３１１は、広告主から入力された設定情報または広告主から選択されたキャンペーンテンプレートに入力されたキャンペーン設定情報に基づいて広告コンテンツを登録してもよい。登録部３１１は、広告主から設定情報が入力されるための設定情報インタフェースおよびキャンペーン設定情報が入力されるためのキャンペーンテンプレートインタフェースを提供してもよく、設定情報インタフェースまたはキャンペーンテンプレートインタフェースを利用して入力された設定情報に応答して広告コンテンツを表示させるための設定結果を出力してもよい。このとき、登録部３１１は、広告主からキャンペーンテンプレートを利用して広告コンテンツを表示させる広告類型またはキャンペーン設定情報を設定することによって広告コンテンツを登録してもよい。
【００５１】
抽出部３１２は、広告主から入力された設定情報または広告主から入力されたキャンペーン設定情報が状況情報に符合することに伴って状況情報に対応する広告コンテンツを抽出してもよい。抽出部３１２は、リアルタイムで表示された広告コンテンツに対する応答結果を受信し、受信した応答結果および状況情報に対応する広告コンテンツを推薦してもよい。
【００５２】
図４は、一実施形態に係る広告表示決定システムの設定情報を入力して広告コンテンツを登録する過程を説明するための図である。
【００５３】
地下鉄駅舎内のデジタルサイネージ装置に広告コンテンツを表示させると仮定しよう。例えば、広告主は、地下鉄駅舎内のデジタルサイネージ装置に表示させる広告コンテンツを登録するために設定情報を入力してもよい。広告主は、少なくとも１つの設定情報を入力することにより、広告コンテンツを表示させるための状況情報を入札するようになる。このとき、図４に示すように、広告主が個別に設定情報を入力してもよく（４１０）、広告表示決定システムから提供されるキャンペーンテンプレートに設定情報を入力してもよい（４２０）。広告主は、設定情報を入力することによって広告コンテンツを登録してもよく、入札された設定情報によって広告コンテンツを表示させてもよい。
【００５４】
広告主は、地下鉄駅舎内のデジタルサイネージ装置に広告コンテンツを表示させるために設定情報を入札してもよい。広告主がＡジャンパーを表示させるために、広告主によって個別に設定情報が入力される例について説明する。例えば、広告主は、地域または位置情報には２号線三成駅〜江南駅、時間情報には７時３０分〜９時、温度情報にはマイナス１５℃〜４℃、騒音情報には６０デシベル、動き情報には遅め（１ｍ／ｓｅｃ以下）、ユーザ情報には考慮なし、表示時間情報には１５秒などの設定情報を入力するとする。このとき、広告主は、少なくとも１つの設定情報に対して入札してもよく、上述したように複数の設定情報を入札してもよい。
【００５５】
また、広告主が地下鉄駅舎内のデジタルサイネージ装置に表示させるための広告コンテンツを登録するために、広告表示決定システムから提供されるキャンペーンテンプレートに設定情報を入力する例について説明する。例えば、広告主は、キャンペーンテンプレートに、広告を表示させる年齢帯には考慮なし、地下鉄駅には２号線三成駅〜江南駅、バス停には設定なし、企業ブランドにはＡブランド、衣類にはＡジャンパーなどの設定情報を入力してもよい。
【００５６】
広告主から入力された設定情報４１０、４２０は、設定結果４３０領域に出力されてもよい。このとき、設定結果４３０領域とは、広告主から入力された広告コンテンツを表示させる詳細環境を示す。例えば、広告主から入札された設定情報に対する設定結果４３０として、地域は２号線江南付近、時間は７時３０分〜９時、温度はマイナス１５〜４℃、騒音は考慮なし、動き情報は遅め（１ｍ／ｓｅｃ）、ユーザ情報は成人男女、表示時間情報は１５秒、表示コンテンツ情報はＡジャンパーなどが出力されてもよい。
【００５７】
広告表示決定システムは、広告主から入力された設定情報４１０または広告主から選択されたキャンペーンテンプレートに入力されたキャンペーン設定情報４２０に基づいて広告コンテンツを登録することができる。
【００５８】
図５は、一実施形態に係るデジタルサイネージ装置に広告コンテンツが表示される例を示した図である。
【００５９】
広告表示決定システムは、図４を参照しながら説明したように、広告主から入力された設定情報または広告主から選択されたキャンペーンテンプレートに入力されたキャンペーン設定情報に基づいて広告コンテンツを登録してもよい。例えば、ＫＡＩＳＴ大講堂でセミナーを開催すると仮定しよう。セミナーの主題は特別セミナー自律スマートメディアと広告マーケットの未来、講師はＴｉｍ  Ｃｏｏｋ、日時は２０１４年３月３１日、場所はＫＡＩＳＴ大講堂とする。図５に示すように、広告主は、セミナー広告を登録してもよく、セミナー広告を表示させるための設定情報を入札してもよい。広告主は、セミナー参席者の参加率を高めるために、広告を表示する地域はｉｔ学科のある大学、時間は大学生が学校を歩き回る時間、例えば午前９時〜午後６時、期間は２０１４年３月２日〜２０１４年３月３１日、ユーザが感知される数は２０名以上、ユーザの移動速度は１ｍ／ｓｅｃである場合などを入札してもよい。
【００６０】
広告表示決定システムは、デジタルサイネージ装置の少なくとも１つのセンサから状況情報を収集してもよい。このとき、センサは、デジタルサイネージ装置に追加されたり除去されてもよく、これに伴って多様な状況情報が発生するようになる。このとき、状況情報とは、地域または位置、現在時間、温度、湿度、騒音、ユーザの動き情報、ユーザ情報などを意味してもよい。例えば、広告表示決定システムは、リアルタイムでデジタルサイネージ装置から状況情報を収集してもよく、予め設定された周期でデジタルサイネージ装置から状況情報を収集してもよい。
【００６１】
広告主が入札した設定情報が状況情報に符合することに伴い、状況情報に対応する広告コンテンツを抽出することができる。広告表示決定システムは、抽出された広告コンテンツをデジタルサイネージ装置５００に伝達してもよく、デジタルサイネージ装置５００は、伝達された広告コンテンツを表示させてもよい。
【００６２】
デジタルサイネージ装置５００は、例えば、ユーザの位置および移動速度を感知し、タッチが可能なインタラクションモード、テキストを含んだイメージモード、カタログタイプのポスターイメージモード、およびフルシーンイメージ／ビデオモードで広告コンテンツを表示させてもよく、デジタルサイネージ装置５００とユーザの位置および移動速度によるオーダメード型コンテンツを提供することによってユーザが迅速かつ容易に認知できるように提供してもよい。また、広告表示決定システムは、広告コンテンツデリバリ機能がある場合には、別途でデジタルサイネージ装置５００と連結させることによって広告コンテンツとインタラクションしてもよい。
【００６３】
例えば、デジタルサイネージ装置５００がセミナー広告を表示させるとする。広告コンテンツの主題は特別セミナー自律スマートメディアと広告マーケットの未来、講師はＴｉｍ  Ｃｏｏｋ、日時は２０１４年３月３１日、場所はＫＡＩＳＴ大講堂などが出力されてもよく、このセミナーの位置を地図に表示して出力されてもよい。また、デジタルサイネージ装置５００は、リアルタイムでセミナーに参加する参席者数を出力してもよい。このとき、デジタルサイネージ装置５００は、広告主から入力された設定情報、例えば、デジタルサイネージ装置５００に表示させる広告コンテンツの大きさおよび位置にしたがって広告コンテンツが出力されてもよい。
【００６４】
広告表示決定システムは、表示された広告コンテンツを状況情報によって差をつけて課金するためにロギングしてもよい。広告表示決定システムは、表示された広告コンテンツが外部とインタラクションが発生することによって生成された情報をロギングし、生成された情報に加重値を付与して差をつけて課金してもよい。また、広告表示決定システムは、広告コンテンツが表示される時点から累積されるユーザの反応を持続的にロギングすることにより、次回に前記広告コンテンツを表示させるときにロギングされたユーザの反応を反映して広告を表示させることを決めてもよい。
【００６５】
広告表示決定システムは、状況別の広告コンテンツ表示によって差をつけて費用を賦課してもよい。例えば、広告コンテンツ表示による費用は、（広告コンテンツ表示による時間×時間帯別の加重値）×隣接ユーザに対する加重値で計算してもよく、インタラクションに対する費用は、インタラクション加重値（広告コンテンツに対するインタラクション×インタラクション別の加重値）で計算してもよい。
【００６６】
例えば、広告表示決定システムは、地下鉄駅舎内の温度情報に基づき、温度が高い場合には氷菓類または飲料の広告を表示させ、温度によって価格に差をつけて策定してもよい。氷菓類または飲料の広告は、温度が高いほどユーザに効果的に認識されるためである。また、広告表示決定システムは、地下鉄駅舎内で地下鉄が駅に接近する騒音デシベルに基づき、効果の速い消化薬の広告を表示させる場合には、ユーザが地下鉄に搭乗および下車する時間に基づいて広告コンテンツを表示させ、騒音デシベルによって差をつけて策定してもよい。
【００６７】
図６は、一実施形態に係る広告表示決定システムにおいて、広告主から広告コンテンツを登録する方法を示したフローチャートである。
【００６８】
広告主は、広告コンテンツを登録するための設定情報を入力してもよい。このとき、広告表示決定システムは、広告主にキャンペーンテンプレートを提供することによって設定情報が入力されてもよく、広告主が広告コンテンツに対する設定情報を入力することによって設定情報が入力されてもよい。図６では、広告表示決定システムから提供されるキャンペーンテンプレートに設定情報が入力されることによって広告コンテンツを登録する例について説明する。
【００６９】
広告表示決定システムは、広告主に対するシステムアカウントを生成してもよい（６１０）。広告主は、生成されたシステムアカウントを利用してデジタルサイネージ装置に広告コンテンツを表示させるために、デジタルサイネージ装置の状況情報を入札してもよい。広告主は、広告コンテンツに対する広告類型を選択してもよい（６２０）。このとき、広告主は、広告の類型としてディスプレイ広告やインタラクティブ広告などを選択してもよく、表示させる広告コンテンツに関する商品情報を選択してもよい。例えば、広告主は、氷菓類広告を登録するための状況情報を、照度は高め、温度は高め、湿度は高め、動きは高めなどのように設定してもよい。
【００７０】
広告表示決定システムは、広告主から入力された設定情報を利用して広告情報を設定してもよい（６３０）。広告主は、個別またはキャンペーンテンプレートを利用して広告期間、広告費用、広告対象ユーザ、広告対象ユーザの認識方法などを設定してもよい。例えば、広告表示決定システムは、広告主によって広告費用が設定されることにより、既存の応答率に基づいて最大回あたりの広告が表示される費用の上限線を設定する機能を提供してもよい。また、広告表示決定システムは、広告対象ユーザを視線や動きなどによって認識する機能を提供してもよい。例えば、広告表示決定システムは、ユーザの動きが遅くなる場合には、サイネージ装置周辺の騒音、明るさ、温度、ユーザ数などによって広告対象ユーザを認識してもよい。
【００７１】
広告表示決定システムは、広告主から設定された広告類型および広告情報に基づいて広告コンテンツを登録してもよい（６４０）。このとき、広告表示決定システムは、広告主が選択した広告コンテンツの広告類型に応じて広告情報を設定する段階を省略し、自動で推薦してもよい。
【００７２】
一実施形態に係る広告表示決定システムは、キャンペーンテンプレートを提供することにより、広告主の広告コンテンツを登録して設定するのに便宜性を提供することができ、状況情報によって広告コンテンツを入札することにより、状況に応じた適切な広告コンテンツを表示させることができる。
【００７３】
図７は、一実施形態に係る広告表示決定システムの広告表示決定方法を示したフローチャートである。
【００７４】
段階７１０で、広告表示決定システムは、デジタルサイネージ装置周辺の状況情報を収集してもよい。このとき、広告表示決定システムは、デジタルサイネージ装置から認識可能なユーザの数、認識可能なユーザの動き、認識可能なユーザの移動速度、認識可能なユーザ情報などを収集してもよく、デジタルサイネージ装置から認識される温度情報、湿度情報、照度情報、音情報、ＣＯ２情報、およびデジタルサイネージ装置の縦横サイズ、地面からの位置などを含むデジタルサイネージ装置の情報のうち少なくとも１つの状況情報を収集してもよい。広告表示決定システムは、デジタルサイネージ装置に追加されたり除去されるセンサを認識することにより、追加あるいは削除されるセンサによる複数の状況情報を収集してもよい。このとき、広告表示決定システムは、収集した状況情報を補正することによって状況情報の正確性および精巧性を向上させることができる。
【００７５】
段階７２０で、広告表示決定システムは、コンテンツ供給者に再生する広告コンテンツを要請してもよい。広告表示決定システムは、デジタルサイネージ装置の状況情報に符合する広告コンテンツを要請してもよい。このとき、広告表示決定システムは、広告コンテンツを再生するサイネージ装置の端末情報およびサイネージ装置周辺の状況情報を共に提供することにより、コンテンツ提供者が最適な広告コンテンツを提供できるようにする。
【００７６】
段階７３０で、広告表示決定システムは、広告主と契約された広告コンテンツ情報に基づいて最適な広告コンテンツを推薦してもよい。広告表示決定システムは、広告主から入札された状況情報がデジタルサイネージ装置の状況情報に符合することに伴い、前記デジタルサイネージ装置の状況情報に対応する広告コンテンツを抽出してもよい。例えば、広告表示決定システムは、一定期間以上に渡って表示される広告コンテンツに対する応答率および状況情報に基づいて広告コンテンツを選択してもよい。
【００７７】
段階７４０で、広告表示決定システムは、表示させる広告コンテンツに関する情報を記録し、表示させる広告コンテンツをデジタルサイネージ装置にデリバリ（Ｄｅｌｉｖｅｒｙ）してもよい。このとき、広告表示決定システムは、広告コンテンツに関する情報をロギングするにあたり、表示させる広告コンテンツが正しく表示されたかを測定するための指標として活用されてもよく、前記広告コンテンツの表示特性に応じて指標値が異なるように記録されてもよい。前記指標値は、広告表示決定システムの予め設定された期間内にデジタルサイネージ装置にも格納することにより、広告コンテンツに関する情報の信頼度を向上させることができる。
【００７８】
段階７５０で、広告表示決定システムは、広告コンテンツを再生させてもよい。段階７４０で、広告表示決定システムが広告コンテンツをデジタルサイネージ装置に送信することにより、デジタルサイネージ装置は広告コンテンツを表示させてもよい。
【００７９】
段階７６０で、広告表示決定システムは、広告コンテンツが再生される時点の状況情報を収集してもよい。このとき、広告表示決定システムは、サイネージ装置とユーザとの直接的なインタラクション情報がある場合には、前記インタラクション情報を収集してもよい。収集されたインタラクション情報および表示された広告コンテンツに対する応答結果をリアルタイムでアップデートし、段階７３０の広告コンテンツ推薦に反映してもよい。広告表示決定システムは、表示された広告コンテンツが外部とのインタラクションが発生することによって生成された情報をロギングし、生成された情報に加重値を付与して差をつけて課金してもよい。
【００８０】
図８は、一実施形態に係るコンピュータシステムの内部構成の一例を説明するためのブロック図である。
【００８１】
図８に示すように、コンピュータシステム８００は、少なくとも１つのプロセッサ（ｐｒｏｃｅｓｓｏｒ）８１０、メモリ（ｍｅｍｏｒｙ）８２０、周辺装置インタフェース（ｐｅｒｉｐｈｅｒａｌｉｎｔｅｒｆａｃｅ）８３０、入／出力サブシステム（Ｉ／Ｏ  ｓｕｂｓｙｓｔｅｍ）８４０、電力回路８５０、および通信回路８６０を少なくとも備えてもよい。このとき、コンピュータシステム８００は、ユーザ端末に該当してもよい。
【００８２】
メモリ８２０は、一例として、高速ランダムアクセスメモリ（ｈｉｇｈ−ｓｐｅｅｄ  ｒａｎｄｏｍ  ａｃｃｅｓｓ  ｍｅｍｏｒｙ）、磁気ディスク、エスラム（ＳＲＡＭ）、ディーラム（ＤＲＡＭ）、ロム（ＲＯＭ）、フラッシュメモリ、または非揮発性メモリを含んでもよい。メモリ８２０は、コンピュータシステム８００の動作に必要なソフトウェアモジュール、命令語集合、またはその他にも多様なデータを含んでもよい。このとき、プロセッサ８１０や周辺装置インタフェース８３０などの他のコンポーネントからメモリ８２０へのアクセスは、プロセッサ８１０によって制御されてもよい。
【００８３】
周辺装置インタフェース８３０は、コンピュータシステム８００の入力および／または出力周辺装置をプロセッサ８１０およびメモリ８２０に結合させてもよい。プロセッサ８１０は、メモリ８２０に格納されたソフトウェアモジュールまたは命令語集合を実行し、コンピュータシステム８００のための多様な機能を実行してデータを処理してもよい。
【００８４】
入／出力サブシステム８４０は、多様な入／出力周辺装置を周辺装置インタフェース８３０に結合させてもよい。例えば、入／出力サブシステム８４０は、モニタやキーボード、マウス、プリンタ、または必要によってはタッチスクリーンやセンサなどのように周辺装置を周辺装置インタフェース８３０に結合させるためのコントローラを備えてもよい。他の側面によると、入／出力周辺装置は、入／出力サブシステム８４０を経ずに周辺装置インタフェース８３０と結合してもよい。
【００８５】
電力回路８５０は、端末機のコンポーネントの全部または一部に電力を供給してもよい。例えば、電力回路８５０は、電力管理システム、バッテリや交流（ＡＣ）などのような１つ以上の電源、充電システム、電力失敗感知回路（ｐｏｗｅｒ  ｆａｉｌｕｒｅ  ｄｅｔｅｃｔｉｏｎ  ｃｉｒｃｕｉｔ）、電力変換器やインバータ、電力状態表示子、または電力生成、管理、分配のための任意の他のコンポーネントを含んでもよい。
【００８６】
通信回路８６０は、少なくとも１つの外部ポートを利用して他のコンピュータシステムとの通信を可能にしてもよい。また、上述したように、必要によって通信回路８６０はＲＦ回路を備え、電磁気信号（ｅｌｅｃｔｒｏｍａｇｎｅｔｉｃ  ｓｉｇｎａｌ）とも知られたＲＦ信号を送受信することにより、他のコンピュータシステムとの通信を可能にしてもよい。
【００８７】
このような図８の実施形態は、コンピュータシステム８００の一例に過ぎず、コンピュータシステム８００は、図８に示された一部のコンポーネントが省略されたり、図８に示されていない追加のコンポーネントをさらに備えたり、２つ以上のコンポーネントを結合させる構成または配置を有してもよい。例えば、モバイル環境の通信端末のためのコンピュータシステムは、図８に示されたコンポーネントの他にもタッチスクリーンやセンサなどをさらに備えてもよく、通信回路８６０に多様な通信方式（ＷｉＦｉ、３Ｇ、ＬＴＥ、Ｂｌｕｅｔｏｏｔｈ（登録商標）、ＮＦＣ、Ｚｉｇｂｅｅ（登録商標）、Ｚ−ｗａｖｅなど）のＲＦ通信のための回路が備えられてもよい。コンピュータシステム８００に含まれることができるコンポーネントは、１つ以上の信号処理またはアプリケーションに特化された集積回路を備えるハードウェア、ソフトウェア、またはハードウェアおよびソフトウェアの組み合わせによって実現されてもよい。
【００８８】
本発明の実施形態に係る方法は、多様なコンピュータシステムによって実行されることができるプログラム命令（ｉｎｓｔｒｕｃｔｉｏｎ）形態で実現され、コンピュータで読み取り可能な媒体に記録されてもよい。特に、本実施形態に係るプログラムは、ＰＣ基盤のプログラムまたはモバイル端末専用のアプリケーションで構成されてもよい。また、このようなアプリケーションは、ファイル配布システムが提供するファイルを利用して利用者端末機にインストールされてもよい。一例として、ファイル配布システムは、利用者端末機の要請に応じて前記ファイルを送信するファイル送信部（図示せず）を備えてもよい。
【００８９】
このように、本発明の実施形態によると、収集された状況情報による広告コンテンツを表示させ、表示された広告コンテンツに関する情報をロギングして差をつけて費用を賦課することにより、広告主およびユーザの両者を満足させることができる最適な広告コンテンツを提供することができる。
【００９０】
上述した装置は、ハードウェア構成要素、ソフトウェア構成要素、および／またはハードウェア構成要素およびソフトウェア構成要素の組み合わせによって実現されてもよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサ、または命令（ｉｎｓｔｒｕｃｔｉｏｎ）を実行して応答することができる異なる装置のように、１つ以上の汎用コンピュータまたは特殊目的コンピュータを利用して実現されてもよい。処理装置は、運営体制（ＯＳ）および運営体制上で実行される１つ以上のソフトウェアアプリケーションを実行してもよい。また、処理装置は、ソフトウェアの実行に応答し、データをアクセス、保存、操作、処理、および生成してもよい。理解の便宜のために、処理装置は１つが使用されると説明される場合もあるが、該当する技術分野において通常の知識を有する者は、処理装置が複数の処理要素（ｐｒｏｃｅｓｓｉｎｇ  ｅｌｅｍｅｎｔ）および／または複数類型の処理要素を含んでもよい。例えば、処理装置は、複数のプロセッサまたは１つのプロセッサおよび１つのコントローラを含んでもよい。また、並列プロセッサ（ｐａｒａｌｌｅｌ  ｐｒｏｃｅｓｓｏｒ）のような、他の処理構成（ｐｒｏｃｅｓｓｉｎｇ  ｃｏｎｆｉｇｕｒａｔｉｏｎ）も可能である。
【００９１】
ソフトウェアは、コンピュータプログラム（ｃｏｍｐｕｔｅｒ  ｐｒｏｇｒａｍ）、コード（ｃｏｄｅ）、命令（ｉｎｓｔｒｕｃｔｉｏｎ）、またはこれらのうちの１つ以上の組み合わせを含んでもよく、所望とおりに動作するように処理装置を構成したり、独立的または結合的に（ｃｏｌｌｅｃｔｉｖｅｌｙ）処理装置を命令したりしてもよい。ソフトウェアおよび／またはデータは、処理装置によって解釈されたり処理装置に命令またはデータを提供したりするために、ある類型の機械、構成要素（ｃｏｍｐｏｎｅｎｔ）、物理的装置、仮想装置（ｖｉｒｔｕａｌ  ｅｑｕｉｐｍｅｎｔ）、コンピュータ記録媒体または装置、または送信される信号波（ｓｉｇｎａｌ  ｗａｖｅ）に永久的または一時的に具体化（ｅｍｂｏｄｙ）されてもよい。ソフトウェアは、ネットワークによって連結したコンピュータシステム上に分散し、分散した方法によって格納されたり実行されたりしてもよい。ソフトウェアおよびデータは、１つ以上のコンピュータで読み取り可能な記録媒体に格納されてもよい。
【００９２】
実施形態に係る方法は、多様なコンピュータ手段によって実行が可能なプログラム命令形態で実現されてコンピュータで読み取り可能な媒体に記録されてもよい。コンピュータで読み取り可能な媒体は、プログラム命令、データファイル、データ構造などを単独または組み合わせて含んでもよい。媒体に記録されるプログラム命令は、実施形態のために特別に設計されて構成されたものであってもよく、コンピュータソフトウェア当業者に公知されて使用可能なものであってもよい。コンピュータで読み取り可能な記録媒体の例としては、ハードディスク、フロッピー（登録商標）ディスク、および磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、およびＲＯＭ、ＲＡＭ、フラッシュメモリなどのようなプログラム命令を格納して実行するように特別に構成されたハードウェア装置が含まれる。プログラム命令の例としては、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして作動するように構成されてもよく、その逆も同じである。
【００９３】
以上のように、実施形態を限定された実施形態と図面に基づいて説明したが、該当する技術分野において通常の知識を有する者であれば、上述した記載から多様な修正および変形が可能であることが理解できるであろう。例えば、説明された技術が説明された方法とは異なる順序で実行されたり、説明されたシステム、構造、装置、回路などの構成要素が説明された方法とは異なる形態で結合または組み合わされたり、他の構成要素または均等物によって対置されたり置換されたとしても、適切な結果を達成することができる。
【００９４】
したがって、異なる実施形態であっても、特許請求の範囲と均等なものであれば、添付される特許請求の範囲に属する。。
【図１】
2016134164.tif 000003
【図２】
2016134164.tif 000004
【図３】
2016134164.tif 000005
【図４】
2016134164.tif 000006
【図５】
2016134164.tif 000007
【図６】
2016134164.tif 000008
【図７】
2016134164.tif 000009
【図８】
2016134164.tif 000010